(57)【要約】      （修正有）【課題】位置調整のために、誤った組立を生ずるおそれのないクロッチストラップを提供する。【解決手段】上面と下面の間をシートベースを通るように延伸する少なくとも１つの細長いスロット１５を備えるシートベース１２と、シートベース１２の上面の上方にあるバックル２１から下方向に延びるクロッチストラップ２０少なくとも１つの細長いスロットを通って延び、且つシートベースに対して摺動可能に保持される少なくとも１つの端部２２を有するクロッチストラップと、クロッチストラップの中間部分に作用するように構成されたクロッチストラップ調整機構であって、少なくとも１つの細長いスロットを出るクロッチストラップの位置とシートベースの上面の上方に延びるクロッチストラップの長さとの両方を調整するように、少なくとも１つの細長いスロットの延長方向に対して斜め方向にシートベースに対して摺動可能であるクロッチストラップ調整機構とを含む。【選択図】図１
2019182410.tif 000002
【特許請求の範囲】
【請求項１】
子供用安全シートであって、
上面及び下面を有するシートベースであって、前記上面と前記下面の間を、前記シートベースを通るように延伸する少なくとも１つの細長いスロットを備える前記シートベースと、
前記シートベースの前記上面の上方にあるバックルから下方向に延びるクロッチストラップであって、前記少なくとも１つの細長いスロットを通って延び、且つ前記シートベースに対して摺動可能に保持された少なくとも１つの端部を有する前記クロッチストラップと、
前記クロッチストラップの中間部分に作用するように構成されたクロッチストラップ調整機構であって、前記少なくとも１つの細長いスロットを出る前記クロッチストラップの位置と、前記シートベースの前記上面の上方に延びる前記クロッチストラップの長さとの両方を調整するように、前記少なくとも１つの細長いスロットの延長方向に対して斜め方向に、前記シートベースに対して摺動可能である前記クロッチストラップ調整機構と
を含む、前記子供用安全シート。
【請求項２】
クロッチストラップが、少なくとも１つの細長いスロットを通って、ｖ形状でバックルから下方向に延びるウェビングの２つのセクションを有し、且つシートベースに対して摺動可能に保持された両端を有するデュアルクロッチストラップの形態にある、請求項１に記載の子供用安全シート。
【請求項３】
シートベースが、１対の細長いスロットを備え、またウェビングの２つのセクションが各細長いスロットを通って延びる、請求項２に記載の子供用安全シート。
【請求項４】
クロッチストラップの端部が、細長いスロットの延長方向に平行な方向に摺動するように、シートベースに対して摺動可能に保持される、請求項３に記載の子供用安全シート。
【請求項５】
調整機構が、シートベースの下側の下方に摺動可能に保持され、且つ細長いスロットの延長方向に対して斜め方向に移動可能なクロッチストラップキャリッジの形態にある、請求項１〜４のいずれかに記載の子供用安全シート。
【請求項６】
クロッチストラップキャリッジが、クロッチストラップが摺動可能に中を通って延伸する少なくとも１つのスロットを備える、請求項５に記載の子供用安全シート。
【請求項７】
シートベースが、少なくとも１つの細長いスロットに平行な、少なくとも１つのクロッチストラップアンカースロットをさらに備え、またクロッチストラップの少なくとも１つの端部が、前記アンカースロットにより摺動可能に保持されるように構成される、請求項１〜６のいずれかに記載の子供用安全シート。
【請求項８】
クロッチストラップキャリッジが、第１の位置と第２の位置の間で移動可能であるように構成され、前記第１の位置では、細長いスロットを出るクロッチストラップの位置が、最も前方の位置にあり、また前記細長いスロットを出る前記クロッチストラップの長さが、その最長のものであり、前記第２の位置では、前記細長いスロットを出る前記クロッチストラップの位置が、前記クロッチストラップキャリッジがその第１の位置にあるときのものよりもさらに後方にあり、前記細長いスロットを出る前記クロッチストラップの前記長さが、前記クロッチストラップキャリッジがその第１の位置にあるときのものよりも短い、請求項１〜７のいずれかに記載の子供用安全シート。
【請求項９】
その又は各クロッチストラップの中間部分に作用するクロッチストラップキャリッジのおかげで、前記クロッチストラップキャリッジのいずれの移動も、摺動可能に保持されるその又は各クロッチストラップの端部の位置を、対応する細長いスロットを出る前記クロッチストラップの位置と同じように変化させる、請求項７に記載の子供用安全シート。
【発明の詳細な説明】
【技術分野】
【０００１】
本発明は子供用安全シートに関する。
【背景技術】
【０００２】
子供用安全シートは、一般に、シート部分及び背もたれ部分を備える、形を与えるシェルを備え、乗物に対して固定することができ、子供を安全シートに対して固定する独立したハーネスを有する。
【０００３】
子供用安全シートは、一般に、ある範囲のサイズにわたる子供に適応するように構成される。調整可能なヘッドレスト、シートのリクライニング角、及び調整可能なハーネスストラップなど、子供用安全シートの様々な態様は、大柄な、又は小柄な乗員に適応するように再構成可能にすることができる。
【０００４】
乗員サイズに合わせて調整される必要のあるハーネスの１つの部分は、クロッチストラップである。理想的には、クロッチストラップは、位置と長さの両方が調整可能であり、したがって、クロッチストラップがシートの背もたれ部分の近くに位置する場合（小柄な乗員に適応するために）、シート部分を通って延びるクロッチストラップの長さは短くなり、反対に、クロッチストラップが、シートの背もたれ部分から遠くに位置する場合（大柄な乗員に適応するために）、シート部分を通って延びるクロッチストラップの長さは長くなる。
【０００５】
典型的なクロッチストラップは、一端にクイックリリースバックルを有し、また他端に、安全シートのシェルに取り付けるための取付け手段（ブラケット、３バースライド、又はロッドなど）を有する。クロッチストラップは、シェルにあるスロットに通され、また取付け手段は、衝突事故の際にクロッチストラップを保持する。クロッチストラップの位置は、シェルにおけるスロットの位置に従い、また子供用安全シートは、クロッチストラップの位置を調整するために、２又は３以上のスロットを有することが多い。
【０００６】
クロッチストラップの位置を調整するために、ユーザは、留め具をシェルから取り外し、クロッチストラップをシェルにおける異なるスロットに通し直す必要がある。クロッチストラップの長さを調整するために、これらのシートの多くは、クロッチストラップをシェルにおける第２のスロットに通す必要がある。これは、クロッチストラップの誤った組立を生ずるおそれのある、時間のかかるやっかいなプロセスである。
【発明の概要】
【発明が解決しようとする課題】
【０００７】
この背景、並びにここで提示された問題及び困難さに対して本発明が開発された。
【課題を解決するための手段】
【０００８】
第１の態様によれば、子供用安全シートが提供され、子供用安全シートは、上面及び下面を有するシートベースであって、上面と下面の間をシートベースを通るように延伸する少なくとも１つの細長いスロットを備えるシートベースと、シートベースの上面の上方にあるバックルから下方向に延びるクロッチストラップであって、少なくとも１つの細長いスロットを通って延び、且つシートベースに対して摺動可能に保持された少なくとも１つの端部を有するクロッチストラップと、クロッチストラップの中間部分に作用するように構成されたクロッチストラップ調整機構であって、少なくとも１つの細長いスロットを出るクロッチストラップの位置と、シートベースの上面の上方に延びるクロッチストラップの長さとの両方を調整するように、少なくとも１つの細長いスロットの延長方向に対して斜め方向に、シートベースに対して摺動可能であるクロッチストラップ調整機構とを含む。
【０００９】
クロッチストラップは、単一のストラップとすることができるが、代替的に、少なくとも１つの細長いスロットを通って、ｖ形状で、バックルから下方向に延びるウェビングの２つのセクションを有し、且つシートベースに対して摺動可能に保持された両端を有するデュアルクロッチストラップの形態とすることができる。
【００１０】
デュアルクロッチストラップの場合、シートベースは、１対の細長いスロットを備えることができ、またウェビングの２つのセクションは、各細長いスロットを通って延びる。
【００１１】
クロッチストラップの端部は、細長いスロットの延長方向に平行な方向に摺動するように、シートベースに対して摺動可能に保持することができる。
【００１２】
本発明のさらなる態様では、調整機構は、シートベースの下側の下方に摺動可能に保持され、且つ細長いスロットの延長方向に対して斜め方向に移動可能なクロッチストラップキャリッジの形態にある。
【００１３】
クロッチストラップキャリッジは、クロッチストラップが摺動可能に中を通って延伸する少なくとも１つのスロットを備えることができる。
【００１４】
シートベースは、少なくとも１つの細長いスロットに平行な、少なくとも１つのクロッチストラップアンカースロットをさらに備えることができ、クロッチストラップの少なくとも１つの端部は、アンカースロットにより摺動可能に保持されるように構成される。
【００１５】
クロッチストラップキャリッジは、第１の位置と第２の位置の間で移動可能であるように構成することができ、第１の位置では、細長いスロットを出るクロッチストラップの位置が、最も前方の位置にあり、また細長いスロットを出るクロッチストラップの長さが、その最長のものであり、また第２の位置では、細長いスロットを出るクロッチストラップの位置が、クロッチストラップキャリッジがその第１の位置にあるときのものよりもさらに後方にあり、且つ細長いスロットを出るクロッチストラップの長さが、クロッチストラップキャリッジがその第１の位置にあるときのものよりも短い。
【００１６】
その又は各クロッチストラップ（the or each crotch strap）の中間部分に作用するクロッチストラップキャリッジのおかげで、クロッチストラップキャリッジのいずれの移動も、摺動可能に保持されるその又は各クロッチストラップの端部の位置を、対応する細長いスロットを出るクロッチストラップの位置と同じであるように変化させる。
【図面の簡単な説明】
【００１７】
本発明の実施形態を、添付の図面を参照して論ずるものとする。
【図１】実施形態による、子供用安全シートの上面斜視図である。
【図２】図１の子供用安全シートの底面斜視図である。
【図３】クロッチストラップ調整機構の概略的な分解図である。
【図４】クロッチストラップ調整機構の上面斜視図である。
【図５】クロッチストラップ調整機構の平面図である。
【図６】クロッチストラップ調整機構の側面図である。
【図７】クロッチストラップ調整機構の底面図である。
【図８】第１の位置にあるクロッチストラップ調整機構の概略図である。
【図９】第２の位置にあるクロッチストラップ調整機構の概略図である。
【図１０】第１の位置にあるクロッチストラップ調整機構の底面斜視図である。
【図１１】第２の位置にあるクロッチストラップ調整機構の底面斜視図である。
【図１２】第１の位置にあるクロッチストラップ調整機構の断面図である。
【図１３】第２の位置にあるクロッチストラップ調整機構の断面図である。
【発明を実施するための形態】
【００１８】
図１及び図２を次に参照すると、子供用安全シート１の上面斜視図及び底面斜視図が示されている。子供用安全シート１は、背もたれセクション１１及びシートベース１２を有するシートシェル１０を含み、シートベース１２は、上面１３（シートの乗員を支持するための）と、下面１４と、上面１３と下面１４の間で延伸し、互いに対して離間され、且つシートベース１２に沿った縦方向に延伸する第１の対の細長いクロッチストラップスロット１５とを有する。シェル１０は、射出成形することのできる熱可塑性ポリマー（例えば、ポリプロピレン）などの適切な剛性材料から製作することができる。
【００１９】
子供用安全シート１は、クイックリリースバックル２１を通り、「ｖ」形状でそこから下方に延びるクロッチストラップ２０をさらに備える。クロッチストラップ２０の端部２２のそれぞれは、ベースセクション１２のクロッチストラップスロット１５を通って延び、且つベースセクションの下方に設けられたクロッチストラップ調整機構３０を通って延び（以下でさらに詳細に述べる）、その後に、シェルのベースセクションの上側と下側の間でさらに延伸する第２の対の対応するクロッチストラップアンカースロット１６により摺動可能に保持された３バースライド２３において終了する。
【００２０】
クロッチストラップの端部のそれぞれは、３バースライドにより保持されるが、クロッチストラップの端部を摺動可能に保持するための他の手段も適している可能性のあることが理解されよう。
【００２１】
図３〜図７を次に参照すると、クロッチストラップ調整機構３０の斜視図がさらに示されており、それは、ガイドプレート４０、ストラップキャリッジ５０、及びロック機構６０を含む。ガイドプレート４０とストラップキャリッジ５０は共に、適切に剛性のある耐負荷材料（例えば、ステンレス鋼など）から製作することができる。
【００２２】
調整機構３０は、クロッチストラップ２０の中間部分に作用するように構成され、また細長いスロット１５を出るクロッチストラップ２０の位置と、シートベース１２の上面１３の上方に延びるクロッチストラップ２０の長さとの両方を調整するように、細長いスロット１５の延長方向に対して斜め方向に、シートベース１２に対して摺動可能である。
【００２３】
ガイドプレート４０は、シェルのベースセクションに固定されるように構成されるが、それは、２つの対応するクロッチストラップスロット４１、及び２つの対応するクロッチストラップアンカースロット４２を特徴とし、それらは、ガイドプレート４０がシェル１０のベースセクション１２に固定されたとき、ベースセクション１２における第１の対及び第２の対のスロット１５、１６と一致し、したがって、クロッチストラップ２０はまた、ガイドプレート４０におけるスロット４１、４２を通って延びることが分かる。
【００２４】
ガイドプレート４０は、クロッチストラップスロット４１、４２に対してある角度で延伸する４つの平行なキャリッジガイドスロット４３をさらに備える。ガイドスロット４３は、ストラップキャリッジ５０から延伸する４つの対応する脚部５１に係合するように構成され、したがって、ストラップキャリッジ５０は、ガイドプレート４０の下方に摺動可能に保持される。クロッチストラップスロット４１、４２に対するガイドスロット４３の角度のおかげで、ストラップキャリッジ４０は、クロッチストラップスロット４１、４２の延長方向に対して斜め（平行ではない）方向に、ガイドプレート５０及びシートベース１２に対して移動可能であることが理解されよう。
【００２５】
示された実施形態では、ストラップキャリッジ５０は、ガイドプレート４０に位置する３つの別々の位置決め開口部４４、４５、４６により、且つ使用時に位置間のキャリッジ５０の移動を阻止する、ねじりばね６３によって位置決め開口部の方向に付勢される突起部６２を有するばね式レバー６１の形態の解放可能なロック機構６０により、３つの別々の位置の間を移動可能であるように構成される。
【００２６】
３つの位置の間のストラップキャリッジ５０の移動が、ばね６３の付勢に対してレバー６１を作動させることにより達成され、したがって、突起部６２は開口部の外へと離れ、キャリッジ５０がガイドスロット４３に沿って自由に摺動できるようになる。単一のロック機構６０を使用することは、調整機構３０の片手操作を可能にし、また開口部に向けてレバー６１を偏倚させることは、位置決め開口部４４、４５、４６によって提供される位置のそれぞれにおいてストラップキャリッジ５０の明確なロックを確実にする。示された実施形態は、ばね式レバー６１が使用されるが、代替的な解放可能ロック機構も使用できることが理解されよう。
【００２７】
図８、図１０、及び図１２は、ストラップキャリッジ５０が第１の位置にある、クロッチストラップ調整機構３０、及びクロッチストラップ２０を示している。ロックレバー６１の突起部６２が第１の位置決め開口部４４内に係合していること、またクロッチストラップ２０は、スロット１５の前端部に隣接した位置において、第１の対のクロッチストラップスロット１５のそれぞれを出ること、及びスロット１５を出るクロッチストラップの長さがその最長のものであり、したがって、ベースセクション１２の上面１３に対するバックル２１の高さはその最長のものになることが分かる。
【００２８】
図９、図１１、及び図１３は、ストラップキャリッジが第２の位置にある、クロッチストラップ調整機構３０、及びクロッチストラップ２０を示している。ロックレバー６１の突起部６２が第３の位置決め開口部４６内に係合していること、またクロッチストラップ２０は、スロット１５の後端部に隣接した位置において、第１の対のクロッチストラップスロット１５を出ること、及びスロット１５を出るクロッチストラップの長さが、クロッチストラップキャリッジがその第１の位置にあるときよりも短く、したがって、ベースセクション１２の上面１３に対するバックル２１の高さは、ストラップキャリッジが第１の位置にあるときのものよりも短い。
【００２９】
図示されていないが、クロッチストラップキャリッジはまた、中間位置へと移動することもでき、その場合、ロックレバー６１の突起部６２は、第２の位置決め開口部４５と係合することになることが理解されよう。クロッチストラップ２０は、スロット１５の前端部と後端部の中間の位置において、第１の対のクロッチストラップスロット１５のそれぞれを出ること、及びスロット１５を出るクロッチストラップの長さは、クロッチストラップキャリッジが第１の位置及び第２の位置にあるときのクロッチストラップの長さの中間になるはずであり、したがって、ベースセクション１２の上面１３に対するバックル２１の高さは、クロッチストラップキャリッジがその第１の位置及び第２の位置にあるときのバックル２１の高さの中間になることが理解されよう。
【００３０】
クロッチストラップ調整機構３０は、ガイドプレート４０、及びベースセクション１２の上側１３に対するクロッチストラップ２０の位置及び長さ（したがって、バックル２１の高さ）を調整するように構成される。以下の説明の範囲では、位置及び長さの調整は、クロッチストラップ２０の一端に対して述べるものとする。しかし、調整機構３０は、クロッチストラップ２０の両端に対して同時に作用することが理解されよう。
【００３１】
ストラップキャリッジ５０は、シートベース１２におけるクロッチストラップスロット１５を出るときのクロッチストラップ２０の位置と、さらにシートベースの上方で利用可能なクロッチストラップの長さ（及びバックル２１の高さ）との両方を調整するように、クロッチストラップ２０の中間部分に対して作用するように適合される。
【００３２】
ガイドスロット４３の方向に沿ったストラップキャリッジ５０の斜めの移動は、縦方向成分及び横方向成分において最もよく理解され、この場合、ストラップキャリッジの移動のいずれかの縦方向成分は、クロッチストラップスロット４１、１５に沿ったクロッチストラップの位置の調整に相当し、またストラップキャリッジの移動のいずれかの横方向成分は、シートベース１２の上側１３の上方で利用可能なクロッチストラップの長さ（したがって、バックルの高さ）の調整に相当する。
【００３３】
図８〜図１３で理解されるように、ストラップキャリッジ５０がガイドスロット４３に沿って移動するとき、それは、３バースライド２３を介して摺動可能に保持されるストラップ２０の端部２２の縦方向位置、並びにクロッチストラップスロット４１、１５を出て、シェル１０のベースセクション１２の上面１３から離れて延びるストラップ２０の中間部分の縦方向位置を制御する。これは、キャリッジ５０が移動するとき、ストラップ２０のエッジに対して作用し、キャリッジ５０の動きの何らかの縦方向成分をストラップ２０に伝達する、横方向エッジ又は表面５２を有するキャリッジ５０によって達成される。こうすることにより、ストラップの端部２２、及びそれがクロッチストラップスロット４１、１５を出るストラップ２０の位置が確実に横方向に位置合わせされ、シートベース１２の下方で担持されるクロッチストラップの長さを確実に平坦に保ってねじれを回避する。
【００３４】
図８〜図１３でさらに理解されるように、ストラップキャリッジ５０がガイドスロット４３に沿って移動するとき、それはさらに、シートベース１２の上面１３の上方で利用可能なクロッチストラップ２０の量を、したがって、上面１３に対するバックル２１の高さを制御する。キャリッジ５０とアンカースロット４２、１６との間の横方向距離が増大したとき（キャリッジ５０がアンカースロット４２、１６から離れるように移動する）、クロッチストラップスロット４１、１５を出る前にストラップ２０が取る経路は増大し、したがって、シートベース１２の上面１３の上方で利用可能なストラップ２０の量は減少する。反対に、キャリッジ５０とアンカースロット４２、１６との間の横方向距離が減少した（キャリッジ５０がアンカースロット４２、１６に向けて移動した）とき、ストラップ２０が、クロッチストラップスロット４１、１５を出る前に取る必要のある経路は減少し、したがって、シートベース１２の上面１３の上方で利用可能なストラップ２０の量が増大する。
【００３５】
キャリッジ５０がシートベース１２におけるスロット１５に対して移動する角度を変えることによって、キャリッジ５０の移動の所与の縦方向成分に対するクロッチストラップ長さ調整の感度を変えることが可能であることがさらに理解されよう。言い換えると、より大きく増大させた角度により、設定された移動の縦方向成分に対して、シートシェル１０のシートベース１２の上面１３の上方で利用可能なストラップ２０の量（及びバックル２１の高さ）により大きな変化を生じ、またより小さな角度により、シートベース１２の上面１３の上方で利用可能なストラップ２０の量（及びバックル２１の高さ）により小さな変化を生ずる。
【００３６】
図１で示されるように、ベースセクション１２はまた、キャリッジガイドスロット４３の上方に位置する突き出たセクション１７を含むことができ、それは、ストラップキャリッジ５０から延伸する脚部５１が、（シートの乗員から、又はシェルの上に設けることのできる何らかの装備品及び／又はパッド（図示せず）など）干渉を受けることなく、キャリッジガイドスロット４３に沿って自由に移動できるように構成される。
【００３７】
子供用安全シート１は、以下の方法を用いて組み立てることができる。
【００３８】
ガイドプレート４０は、ガイドプレート４０におけるスロット４１、４２、及びシェル１０のシートベース１２における対応するスロット１５、１６が位置合わせされるように、シートベース１２の下面１４に固定される。ストラップキャリッジ５０及びロック機構６０が、次いで、ガイドスロット４３における拡大された開口４７を通ってキャリッジ脚部５１を挿入することにより、次にキャリッジ５０を、ロック機構６０がガイドプレート４０における第１のロック開口部４４に係合するまで、ガイドスロット４３に沿って摺動させることにより、ガイドプレート４０に固定される。クロッチストラップ２０は、次いで、ベルト２０の端部２２に取り付けられた３バースライド２３を、シートベース１２の第１の対のクロッチストラップスロット１５、並びにガイドプレート４０のスロット４１及びストラップキャリッジ５０を通って押し下げ、且つガイドプレート４０の第２の対のクロッチストラップアンカースロット４２、及びシートベース１２のスロット１６を通って押し上げることにより取り付けられ、３バースライド２３は、次いで、アンカースロット１６を囲むシートベース１２の上面１３によって摺動可能に保持されるように配置される。
【００３９】
示された実施形態において、ストラップキャリッジ５０は、ガイドプレート４０におけるガイドスロット４３、及びストラップキャリッジ５０から延伸する脚部５１を介してシート１により摺動可能に保持されるが、代替の実施形態では、ストラップキャリッジが、シートにより摺動可能に保持できるようにする任意の手段を使用できることが理解されよう。
【００４０】
示された実施形態では、子供用安全シート１は、シートベース１２の下面１４に固定されるガイドプレート４０を特徴とするが、代替の実施形態では、シートベースは、それに代えて、別個のガイドプレートを必要とせずに、ストラップキャリッジを摺動可能に保持し、且つロック機構に対するロック開口部を提供するように構成できることが理解されよう。
【００４１】
示された実施形態では、ストラップキャリッジ５０は、クロッチストラップ２０の両端の長さを制御するが、代替の実施形態では、ストラップキャリッジは、それに代えて、クロッチストラップの一方の端部の長さを調整するだけであるように構成され得ることが理解されよう。
【００４２】
示された実施形態では、クロッチストラップ２０は、ｖ形状でバックルから下方に延びるウェビングの２つのセクションを有するｖ形状を有するが（この場合、調整機構は、ウェビングの両方のセクションの中間部分に作用するように構成される）、代替の実施形態では、クロッチストラップを、バックルから下方向に延びるウェビングの単一セクションから構成することができ、この場合、調整機構は、ウェビングの単一セクションに作用するように構成されることが理解されよう。
【００４３】
さらなる実施形態では、その代わりにクロッチストラップの端部が、ストラップキャリッジにしっかりと接続された３バースロットで終了することができ、またストラップキャリッジは、クロッチストラップが、ガイドプレート及びシェルのベースセクションにおけるクロッチストラップスロットを通って延びる前に、クロッチストラップの端部が通って延びる１対のクロッチストラップスロットを特徴とすることが理解されよう。クロッチストラップスロットに対して斜め方向に、ガイドプレートにおけるガイドスロットに沿ってストラップキャリッジが移動することにより、クロッチストラップの位置及び長さの制御がさらに達成されることが理解されよう。
【００４４】
本明細書、及び添付の特許請求の範囲を通じて、文脈上その他の意味に解すべき場合を除き、用語「備える／含む（comprise）」及び「含む（include）」、並びに「備える／含む（comprising）」及び「含む（including）」などの変化形は、述べられた整数又は整数の群を含むが、任意の他の整数又は整数の群を排除するものではないことを含意することが理解されよう。
【００４５】
本明細書におけるいずれかの従来技術への参照は、このような従来技術が、共通の一般的知識の一部を形成するものであると何らかの形で示唆することを認めるものではなく、またそのように解釈されるべきではない。
【００４６】
当業者であれば、本発明は、その使用において、述べられた特定の用途に限定されないことが理解されよう。本発明は、本明細書で述べられた、又は示された特定の要素、及び／又は特徴に関して、その好ましい実施形態に限定されるものではない。本発明は、開示される１又は２以上の実施形態に限定されないが、添付の特許請求の範囲により記載され、定義された本発明の範囲から逸脱することなく、数多くの再構成、修正、及び置き換えが可能であることが理解されよう。
【図１】
2019182410.tif 000003
【図２】
2019182410.tif 000004
【図３】
2019182410.tif 000005
【図４】
2019182410.tif 000006
【図５】
2019182410.tif 000007
【図６】
2019182410.tif 000008
【図７】
2019182410.tif 000009
【図８】
2019182410.tif 000010
【図９】
2019182410.tif 000011
【図１０】
2019182410.tif 000012
【図１１】
2019182410.tif 000013
【図１２】
2019182410.tif 000014
【図１３】
2019182410.tif 000015
【外国語明細書】
2019182410000001.pdf